(57)【要約】【解決手段】  腰掛座１の周縁部に沿わせて長孔1aを形成し、この長孔1aと腰掛座１の周縁部間を握ることができるようにする。この腰掛座１を垂直方向の支柱ｂに片持ち形式で、しかも、上下調整可能で、かつ、平面的に回転可能に取り付ける。【効果】  少なくとも着座時において、腰掛座１を片持ち支持でき、腰掛座１に座っても腰掛座１が滑り落ちることがなく、その使用に何ら支障はない。特に、垂直方向の支柱ｂに片持ち形式で取り付けられている腰掛座１を手すりとして利用することができるので、極めて便利である。また、この腰掛座１は垂直方向の支柱ｂに対して平面的に回転可能であるから、腰掛座１の一部を握ったまま歩行動作に合わせて腰掛座（手すり）を動かすことができるので極めて便利である。また、固定式の場合に比べて、手すりとしての使用範囲がそれだけ広くなる。【選択図】  図７
2005205010.tif 000002
【特許請求の範囲】
【請求項１】
腰掛座１を可動手すりとしての機能を有するものとし、この腰掛座１を垂直方向の支柱ｂに片持ち形式で、しかも、上下調整可能で、かつ、平面的に回転可能に取り付けたことを特徴とする手すり腰掛。
【請求項２】
腰掛座１を可動手すりとしての機能を有するものとするために、腰掛座１の周縁部に沿わせて長孔1aを形成し、この長孔1aと腰掛座１の周縁部間を握ることができるようにしたことを特徴とする請求項１記載の手すり腰掛。
【請求項３】
長孔1aの内周面が外突弧状となっていることを特徴とする請求項２記載の手すり腰掛。
【請求項４】
腰掛座１を可動手すりとしての機能を有するものとするために、腰掛座１に手すり棒1bを取り付けたことを特徴とする請求項１記載の手すり腰掛。
【請求項５】
腰掛座１が、不使用時（収納時）と使用時との間で支柱ｂに対して起倒自在に取り付けられていることを特徴とする請求項１、２、４のいずれかに記載の手すり腰掛。
【請求項６】
少なくとも着座時において腰掛座１を前記支柱ｂに片持ち支持させ得る手段として、前記支柱ｂに抱き合わせるように筒体を装着し、前記支柱ｂで腰掛座１の荷重を直接支えるのではなく、この支柱ｂに装着されている前記筒体の一部で腰掛座１の荷重を支えることを特徴とする請求項１記載の手すり腰掛。
【請求項７】
筒体が左右二つ割りになっており、個々の半筒体で腰掛座１の荷重を支えることを特徴とする請求項６記載の手すり腰掛。
【請求項８】
筒体が正面外突弧状に膨らんでおり、外突弧状のこの外周面上を摺動させ得る腰掛座１の腕を介して前記外周面で腰掛座１の荷重を支えることを特徴とする請求項６又は７記載の手すり腰掛。
【請求項９】
筒体の対向両面に円弧状のガイド溝が形成されており、円弧状のこのガイド溝に嵌合されていてその中を摺動させ得る突起を有する腰掛座の腕を介して円弧状のガイド溝で腰掛座１の荷重を支えることを特徴とする請求項６又は７記載の手すり腰掛。
【請求項１０】
筒体のうち少なくとも支柱ｂと当接する部分が粘着性を有する材料で形成されていることを特徴とする請求項６〜９のいずれかに記載の手すり腰掛。
【請求項１１】
左右二つ割りの筒体が内筒とこの内筒に抱き合わせるように装着させ得る外筒とからなり、前記内筒側の二つ割り位置と前記外筒側の二つ割り位置とが左右方向にずらせてあることを特徴とする請求項７〜１０のいずれかに記載の手すり腰掛。
【請求項１２】
支柱ｂに抱き合わせるように装着されている左右二つ割りの筒体間に、両筒体を締め付ける方向の力を付与するためのバネを配置したことを特徴とする請求項７〜１１のいずれかに記載の手すり腰掛。
【請求項１３】
円弧状のガイド溝の外周面側の一部に、内側に突出するカム面を形成したことを特徴とする請求項９記載の手すり腰掛。
【請求項１４】
カム面に、円弧状のガイド溝に嵌合されていてその中を摺動させ得る突起が嵌まる窪みが形成されていることを特徴とする請求項１３記載の手すり腰掛。
【請求項１５】
二つ割りである筒体の対向両面の外側に延び出させた腰掛座の腕の内面であって、前記筒体に対する腕の回転中心付近にガイド用の窪みを形成し、この窪み内に前記腕の回転中心としての突部軸を嵌め込んだことを特徴とする請求項９記載の手すり腰掛。
【請求項１６】
窪みの内壁面の一部を内方に突出させ、この突出部を筒体の対向両面に形成されていてガイド用の窪み内に嵌め込まれている突部軸間に係入させ得るようにしたことを特徴とする請求項９又は１５記載の手すり腰掛。
【請求項１７】
垂直方向の支柱ｂとこの支柱ｂに抱き合わせるように装着させ得る筒体の内周面を横断面真円形とし、前記筒体と前記筒体の一部で支えられる腰掛座１とを、前記支柱ｂに対して回動自在としたことを特徴とする請求項６、１０もしくは１２のいずれかに記載の手すり腰掛。
【発明の詳細な説明】
【技術分野】
【０００１】
本発明は、屋内である部屋や階段の壁その他の場所に取り付けられる一本の垂直方向の支柱や、公園、駅、バスの停留所その他の公共施設など屋外における垂直方向の支柱を利用してそれに取り付けることができる手すり腰掛であって、それを腰掛として利用することができるほか、手すりとしても利用できるようにしたものに関する。
【背景技術】
【０００２】
従来から、屋内である部屋や階段の壁その他の場所に、垂直方向の一本の手すりを取り付けることが行われている。このような手すりが玄関先に配置されている場合もある。
また、公園、駅、バスの停留所その他の公共施設など屋外においても、各種の手すりが配置されている場合がある。
【発明の開示】
【発明が解決しようとする課題】
【０００３】
このような手すりを利用する人は高齢者が多いと思われるが、その付近に座って一休みできれば、高齢者にとっては極めて有り難い。また、玄関先などで靴を履く場合や衣類を着用する場合に、簡単な腰掛があれば便利である。
このような場合には、補助腰掛と称される腰掛とすると都合が良い。腰掛を倒すことで使用でき、逆に、邪魔にならないように折り畳んで収納しておくことができるからである。
【０００４】
玄関先に設置される補助腰掛として種々のものが開発されているが、大掛かりなものが多い。例えば、玄関先の壁に折り畳み可能な補助腰掛を直接取り付けたものや、玄関先の壁に大きな窪みを形成しておいてその窪み内に納まるように折り畳み可能な補助腰掛を配置したもの（埋め込み式）などがある（例えば、特許文献１参照）。収納時それが見えないように、折り畳まれた腰掛の一部で収納後の開口面を覆うようにしたものもあり、いずれも大掛かりなものばかりである。
【特許文献１】特開２０００−６５３９８号公報
【０００５】
一方、公園、駅、バスの停留所その他の公共施設など屋外用の腰掛としては、いわゆるベンチや長椅子を挙げることができるが、一定の設置面積を必要とするため、歩道など設置場所によっては邪魔になる場合もある。
この欠点を解消するために、折り畳み可能な屋外用の腰掛も開発されている（例えば、特許文献２参照）。
【特許文献２】特開２０００−２２９０１９号公報
【０００６】
しかしながら、これらの腰掛はいずれも重い腰掛座を支えようとするものであって、そのために腰掛座を両端支持で支える形式が採られている。また、この重い腰掛座を折り畳むことができるように、中空状のパイプ内に本格的な折り畳み機構を内蔵させており、極めて複雑な構造となっている。
【０００７】
このようなことから、屋内の場合には、部屋や階段の壁その他の場所に配置されている垂直方向の一本の支柱に、また、屋外の場合には、屋外に配置されている垂直方向の一本の支柱に、いずれも容易に取り付けることができるものがあれば便利である。また、不使用時には折り畳んで収納しておくことができれば、邪魔にならないから有利であり、しかも、全体として簡単な構造のものであることが好ましい。
【０００８】
このような要望に応えるものとして、本発明者らのグループは、垂直方向の一本の支柱に片持ち形式で、しかも、不使用時（収納時）と使用時との間で前記支柱に対して起倒自在に腰掛座を取り付けるとともに、少なくとも着座時においてこの腰掛座を前記支柱に片持ち支持させ得る手段を備えたものを開発した（特許文献３参照）。
【特許文献３】特開２００３−２３０４５０号公報。
【０００９】
先に開発されたこの腰掛は、屋内、屋外に配置されている垂直方向の一本の支柱に片持ち形式で腰掛座を容易に取り付けることができ、少なくとも着座時においてこの腰掛座を支柱に片持ち支持させることができる。
しかしながら、この場合の腰掛座は座ることのみの機能しかなく、それを手すりとして利用することはできない。
本発明は、垂直方向の一本の支柱に容易に取り付けることができる腰掛の腰掛座を可動手すりとしての機能を有するものとし、手すりとして利用できるようにしたものである。
【課題を解決するための手段】
【００１０】
この目的を達成するために、本発明では、腰掛座１を可動手すりとしての機能を有するものとし、この腰掛座１を垂直方向の支柱ｂに片持ち形式で、しかも、上下調整可能で、かつ、平面的に回転可能に取り付けたものである。
【００１１】
垂直方向の支柱ｂに片持ち形式で、しかも、上下調整可能で、かつ、平面的に回転可能に腰掛座１を取り付けるために、屋内では、例えば、部屋や階段の壁その他の場所に配置されている垂直方向の支柱を利用することができる。また、屋外では、屋外に配置されている各種の垂直方向の支柱を利用することができる。
そして、屋内、屋外の各種の垂直方向の支柱ｂに腰掛座１を容易に取り付けることができ、支柱ｂに片持ち支持させることができる。全体として構造も極めて簡単なものである。
【００１２】
座るに当っては、使用者に合わせて支柱ｂに対する腰掛座１の高さを調整（上下調整）すればよい。腰掛座１は支柱ｂに片持ち支持されているので、この腰掛座１に座っても滑り落ちず、その使用に何ら支障はない。腰掛座１を肘当てとしても利用できる。
一方、腰掛座１から立ち上がって腰掛座１の高さを使用者に合わせて握りやすい位置に調整（上下調整）し、可動手すりとしての機能を有するこの腰掛座１を握れば、この腰掛座１を手すりとして利用することができる。そして、この腰掛座１は支柱ｂに対して平面的に回転可能であるから、上記部分を握ったまま歩行動作に合わせて腰掛座（手すり）を動かすことができる。したがって、固定式の場合に比べて、手すりとしての使用範囲が広くなる。
【００１３】
腰掛座１を可動手すりとしての機能を有するものとするためには、腰掛座１の周縁部に沿わせて長孔1aを形成し、この長孔1aと腰掛座１の周縁部間を握ることができるようにする方式を採用することができる。この場合には、腰掛座１の長孔1aと腰掛座１の周縁部間を手すりとして利用できる。
【００１４】
長孔1aの内周面を外突弧状としておくとよい。長孔1aの内周面が外突弧状になっていると、腰掛座１の長孔1aと腰掛座１の周縁部間があたかも手すりのような形になっていて、その部分を握りやすい。
【００１５】
また、腰掛座１を可動手すりとしての機能を有するものとするためには、腰掛座１に手すり棒1bを取り付ける方式を採用することができる。この場合には、腰掛座１に取り付けられている手すり棒1bそのものを手すりとして利用できる。この手すり棒1bは腰掛座１に一体的としてもよいし、取り外し可能な状態としてもよい。
【００１６】
腰掛座１が、不使用時（収納時）と使用時との間で支柱ｂに対して起倒自在に取り付けられていることが望ましい。
この場合には、不使用時に腰掛座１を折り畳んで収納しておくことができるので、邪魔にならない。
【００１７】
少なくとも着座時において腰掛座１を前記支柱ｂに片持ち支持させ得る手段として、前記支柱ｂに抱き合わせるように筒体を装着し、前記支柱ｂで腰掛座１の荷重を直接支えるのではなく、この支柱ｂに装着されている前記筒体の一部で腰掛座１の荷重を支えるようにしておくとよい。
この場合には、腰掛座１に掛かる荷重を支柱ｂで直接支えるのではなく、支柱ｂに抱き合わせるように装着されている筒体の一部で支えることができる。したがって、上述したように、腰掛座１を手すりとして利用した場合にも、腰掛座１が滑り落ちないように保持できる。そして、支柱ｂに装着されている筒体の外周面上を腰掛座１の腕が摺動するように設計できるから、腰掛座１を起こして折り畳む際に手指をはさむ危険もない。
なお、不使用時には、腰掛座１を起して折り畳んで収納しておくことができるから、極めて便利である。
【００１８】
筒体が左右二つ割りになっており、個々の半筒体で腰掛座１の荷重を支えるようにするのが好ましい。このようにすると、左右二つ割りの半筒体で受圧面積を大きくして腰掛座１の荷重が一点に掛かるのを軽減できる。
【００１９】
筒体が正面外突弧状に膨らんでおり、外突弧状のこの外周面上を摺動させ得る腕を介して前記外周面で腰掛座１の荷重を支えるようにするのが好ましい。このようにすると、腰掛座１に掛かる荷重は、上述したように支柱ｂで直接支えるのではなく、腕が摺動する筒体の外突弧状の外周面で支えることができる。
【００２０】
筒体の対向両面に円弧状のガイド溝が形成されており、円弧状のこのガイド溝に嵌合されていてその中を摺動させ得る突起を有する腰掛座の腕を介して円弧状のガイド溝で腰掛座１の荷重を支えるようにするのが好ましい。このようにすると、腰掛座１に掛かる荷重は、上述したように支柱ｂで直接支えるのではなく、腰掛座の腕に形成されている突起が嵌まっている円弧状のガイド溝で支えることができる。そして、この場合には、腰掛座の腕と支柱ｂに装着されている筒体との摺動機構が筒内にあるため、腰掛座の腕が動いても手指をはさむのを完全に防止できる。
【００２１】
筒体のうち少なくとも支柱ｂと当接する部分が粘着性を有する材料で形成しておくとよい。この場合には、支柱ｂに筒体が密着しやすくなり、それだけ滑りにくくすることができる。
【００２２】
左右二つ割りの筒体を内筒とこの内筒に抱き合わせるように装着させ得る外筒とからなるものとし、前記内筒側の二つ割り位置と前記外筒側の二つ割り位置とを左右方向にずらせておくとよい。
このようにすると、腰掛座１に掛かる荷重を内筒とこの内筒に抱き合わせるように装着されている外筒とに分散させて支えることができ、左右二つ割りである内筒と外筒とがいずれも外れにくいものとなる。
【００２３】
支柱ｂに抱き合わせるように装着されている左右二つ割りの筒体間に、両筒体を締め付ける方向の力を付与するためのバネを配置しておくのが好ましい。
このようにしておくと、このバネの引張力によって両筒体には締め付ける方向の力が付与されるから、両筒体の一部で支えられる腰掛座１が支柱ｂに沿って自重で滑り落ちることがない。
【００２４】
円弧状のガイド溝の外周面側の一部に、内側に突出するカム面を形成しておくとよい。このようにしておくと、円弧状のガイド溝内を摺動する突起を有する腕を動かすことにより、前記突起が内側に突出するカム面を押すから、支柱ｂに装着されている二つ割りの半筒体が押し広げられ、支柱ｂとの間に隙間が生じる。したがって、支柱ｂに装着されている二つ割りの半筒体を支柱ｂに沿って軽く上下動させることができる。
【００２５】
前記カム面には、円弧状のガイド溝に嵌合されていてその中を摺動させ得る突起が嵌まる窪みが形成されていることが望ましい。この窪みがカム面に形成されていると、円弧状のガイド溝に沿って腕を動かしたとき、この窪みの位置で一旦腕が止まり、折り畳み（収納）途中及び倒す途中のその位置で腰掛座が傾いた状態を保持できるので、上下動させるのに都合がよい。
【００２６】
二つ割りである筒体の対向両面の外側に延び出させた腰掛座の腕の内面であって、前記筒体に対する腕の回転中心付近にガイド用の窪みを形成し、この窪み内に前記腕の回転中心としての突部軸を嵌め込むとよい。
このようにした場合には、窪みの周壁と突部軸の一部とを、また、円弧状のガイド溝の外周面とその中を摺動する突起とを係合させることができる。したがって、折り畳んだ状態の腰掛座が倒れてくるのを防止できるとともに、折り畳んだ状態を保持できる。
【００２７】
窪みの内壁面の一部を内方に突出させ、この突出部を筒体の対向両面に形成されていてガイド用の窪み内に嵌め込まれている突部軸間に係入させ得るようにしておくとよい。
このようにしておくと、二つ割りである筒体の外側に位置する腕を持ち上げることにより、ガイド用の窪みの内壁面の一部に形成されている突出部が、二つ割りの筒体の対向両面に形成されていて前記ガイド用の窪み内に嵌め込まれている突部軸間に係入せしめられ、垂直方向の支柱ｂに装着されている二つ割りの筒体が押し広げられ、支柱ｂとの間に隙間が生じる。したがって、垂直方向の支柱ｂに装着されている二つ割りの半筒体を支柱ｂに沿って軽く上下動させることができる。
【００２８】
垂直方向の支柱ｂとこの支柱ｂに抱き合わせるように装着させ得る筒体の内周面を横断面真円形とし、前記筒体と前記筒体の一部で支えられる腰掛座１とを、前記支柱ｂに対して回動自在としておくとよい。この場合には、支柱ｂに対する腰掛座１の取付位置を平面的に変えることができる。したがって、腰掛座１を回動させ得る範囲内で支柱ｂに対する腰掛座１の取付位置を自由に変えることができ、腰掛座１の一部を握ったまま歩行動作に合わせて腰掛座（手すり）を動かすことができるので、便利である。
【発明の効果】
【００２９】
請求項１記載の発明によれば、屋内、屋外の各種の手すりの垂直方向の支柱ｂに片持ち形式で腰掛座１を容易に取り付けることができる。また、全体として極めて簡単な構造のものとすることができる。そして、少なくとも着座時において、腰掛座１を片持ち支持でき、腰掛座１に座っても腰掛座１が滑り落ちることがなく、その使用に何ら支障はない。特に、垂直方向の支柱ｂに片持ち形式で取り付けられている腰掛座１を手すりとして利用できるので、極めて便利である。また、この腰掛座１は垂直方向の支柱ｂに対して平面的に回転可能であるから、腰掛座１の一部を握ったまま歩行動作に合わせて腰掛座（手すり）を動かすことができるので極めて便利であり、また、固定式の場合に比べて手すりとしての使用範囲がそれだけ広くなる。
【００３０】
請求項２記載の発明によれば、腰掛座１の長孔1aと腰掛座１の周縁部間を手すりとしてそのまま利用できるので、腰掛座１を可動手すりとしての機能を有するものとするための機構が簡単になるのみならず、他の部材を必要としないという利点がある。
【００３１】
請求項３記載の発明によれば、腰掛座１の長孔1aと腰掛座１の周縁部間があたかも手すりのような形になっていて、その部分を握りやすいので、腰掛座１を手すりとして利用したとき有利であり、また、その部分をしっかり握ることができるという利点を有する。
【００３２】
請求項４記載の発明によれば、腰掛座１に取り付けられている手すり棒1bそのものを手すりとして利用できる。
【００３３】
請求項５記載の発明によれば、不使用時において、腰掛座１を起して折り畳んで収納しておくことができる。
【００３４】
請求項６記載の発明によれば、腰掛座１に掛かる荷重は、支柱ｂで直接支えるのではなく、支柱ｂに抱き合わせるように装着されている筒体の一部で支えることができる。また、支柱ｂに装着されている筒体の外周面上を腰掛座１の腕が摺動するように設計できるから、腰掛座１を起こして折り畳む際に手指をはさむ危険もない。
【００３５】
請求項７記載の発明によれば、左右二つ割りの半筒体で受圧面積を大きくして腰掛座１の荷重が一点に掛かるのを軽減できる。
【００３６】
請求項８記載の発明によれば、腰掛座１に掛かる荷重を支柱ｂで直接支えるのではなく、腕が摺動する筒体の外突弧状の外周面で支えることができる。
【００３７】
請求項９記載の発明によれば、腰掛座１に掛かる荷重を支柱ｂで直接支えるのではなく、腰掛座の腕に形成されている突起が嵌まっている円弧状のガイド溝で支えることができる。そして、この場合には、腰掛座の腕と支柱ｂに装着されている筒体との摺動機構が筒内にあるため、腰掛座の腕が動いても手指をはさむのを完全に防止できる。
【００３８】
請求項１０記載の発明によれば、支柱ｂに筒体が密着しやすくなり、それだけ滑りにくくすることができる。
【００３９】
請求項１１記載の発明によれば、腰掛座１に掛かる荷重を内筒とこの内筒に抱き合わせるように装着されている外筒とに分散させて支えることができ、左右二つ割りである内筒と外筒とがいずれも外れにくいものとなる。
【００４０】
請求項１２記載の発明によれば、バネの引張力によって両筒体に締め付ける方向の力が付与されるから、両筒体の一部で支えられる腰掛座１が支柱ｂに沿って自重で滑り落ちることがない。
【００４１】
請求項１３記載の発明によれば、円弧状のガイド溝内を摺動する突起を有する腕を動かすことにより、前記突起が内側に突出するカム面を押すから、支柱ｂに装着されている二つ割りの半筒体が押し広げられ、支柱ｂとの間に隙間が生じるから、支柱ｂに装着されている二つ割りの半筒体を支柱ｂに沿って軽く上下動させることができる。
【００４２】
請求項１４記載の発明によれば、円弧状のガイド溝に沿って腕を動かしたとき、カム面に形成されている窪みの位置で一旦腕が止まり、折り畳み（収納）途中及び倒す途中のその位置で腰掛座が傾いた状態を保持できるので、上下動させるのに都合がよい。
【００４３】
請求項１５記載の発明によれば、ガイド用の窪みの周壁と突部軸の一部とを、また、円弧状のガイド溝の外周面とその中を摺動する突起とを係合させることができるから、折り畳んだ状態の腰掛座が倒れてくるのを防止できるとともに、折り畳んだ状態を保持できる。
【００４４】
請求項１６記載の発明によれば、二つ割りである筒体の外側に位置する腕を持ち上げることにより、ガイド用の窪みの内壁面の一部に形成されている突出部が、二つ割りの筒体の対向両面に形成されていて前記ガイド用の窪み内に嵌め込まれている突部軸間に係入せしめられ、垂直方向の支柱ｂに装着されている二つ割りの筒体が押し広げられ、支柱ｂとの間に隙間が生じるから、垂直方向の支柱ｂに装着されている二つ割りの半筒体を支柱ｂに沿って軽く上下動させることができる。
【００４５】
請求項１７記載の発明によれば、垂直方向の支柱ｂに対する腰掛座１の取付位置を平面的に変えることができるから、腰掛座１を回動させ得る範囲内で支柱ｂに対する腰掛座１の取付位置を自由に変えることができる。そして、腰掛座１の一部を握ったまま歩行動作に合わせて腰掛座（手すり）を動かすことができるので、極めて便利である。また、固定式の場合に比べて手すりとしての使用範囲が広くなる。
【発明を実施するための最良の形態】
【００４６】
本発明の好ましい実施の形態について、図面を参照しながら詳細に説明する。
本発明の手すり腰掛は、屋内である部屋や階段の壁、玄関先その他の場所に配置されている垂直方向の一本の支柱に、あるいは、公園、駅、バスの停留所その他の公共施設など屋外に配置されている各種の垂直方向の支柱に、簡単に取り付けることができる。
ここには、図５及び図１２に示すように、家屋の柱があるところでは、その柱Ｆの壁面に直接支柱ｂを垂直方向に取り付け、この支柱ｂに手すり腰掛を取り付け、いわゆるインテリアとしての手すり腰掛とした場合を例示する。このような場合と同じように、屋外に配置されている各種の垂直方向の支柱にも取り付けることができる。
【００４７】
この手すり腰掛には、台板としての腰掛座１が備えられており、この腰掛座１を可動手すりとしての機能を有するものとする。そして、この腰掛座１は垂直方向の支柱ｂに片持ち形式で、しかも、上下調整可能で、かつ、平面的に回転可能に取り付けられている。したがって、この手すり腰掛を腰掛として利用することができるほか、手すりとして利用することができる。腰掛座１を肘当てとしても利用できる。
【００４８】
座るに当っては、使用者に合わせて支柱ｂに対する腰掛座１の高さを調整（上下調整）すればよい。腰掛座１は支柱ｂに片持ち支持されているので、この腰掛座１に座っても滑り落ちず、その使用に何ら支障はない。
一方、腰掛座１から立ち上がって腰掛座１の高さを使用者に合わせて握りやすい位置に調整（上下調整）し、可動手すりとしての機能を有するこの腰掛座１を握れば、この腰掛座１を手すりとして利用することができる。そして、この腰掛座１は支柱ｂに対して平面的に回転可能であるから、上記部分を握ったまま歩行動作に合わせて腰掛座（手すり）を動かすことができる。したがって、固定式の場合に比べて、手すりとしての使用範囲が広くなる。
【００４９】
この腰掛座１を可動手すりとしての機能を有するものとするために、図１、図４の場合と図６、図１１の場合には、腰掛座１の周縁部に沿わせて長孔1aが形成されており、この長孔1aと腰掛座１の周縁部間を握ることができるようにしてある。したがって、この長孔1aと腰掛座１の周縁部間を握れば、この腰掛座１を手すりとして利用することができる。
なお、図１、図４の場合と図６、図１１の場合とでは、腰掛座１を垂直方向の支柱ｂに片持ち形式で、しかも、上下調整可能で、かつ、平面的に回転可能ならしめる手法が異なっている（それについては後述する）。
【００５０】
図１(b)，(c)、図６(b)，(c)に示すように、前記長孔1aの内周面は外突弧状になっている。この場合には、腰掛座１の長孔1aと腰掛座１の周縁部間があたかも手すりのような形になっていてその部分を握りやすいので、腰掛座１を手すりとして利用したとき有利であり、また、その部分をしっかり握ることができる。
【００５１】
また、腰掛座１を可動手すりとしての機能を有するものとするために、図１３及び図１４では、腰掛座１に手すり棒1bを一体的に取り付けてある。この場合には、腰掛座１に取り付けられている手すり棒1bそのものを手すりとして利用することができる。
なお、図１、図４の場合と図１３の場合、また、図６、図１１の場合と図１４の場合とでは、腰掛座１を可動手すりとしての機能を有するものとするための手法が異なっているだけで、腰掛座１を垂直方向の支柱ｂに片持ち形式で、しかも、上下調整可能で、かつ、平面的に回転可能ならしめる手法（後述する）は同じである。
【００５２】
このように、腰掛座１を可動手すりとしての機能を有するものとするための手段は少なくとも二通りあり、いずれの場合においても、可動手すりとしての機能を有する腰掛座１を垂直方向の支柱ｂに片持ち形式で、しかも、上下調整可能で、かつ、平面的に回転可能に取り付けることによって、この腰掛座１を手すりとして、あるいは、腰掛座１に取り付けられている手すり棒1bそのものを手すりとして利用することができる。
【００５３】
一方、この手すり腰掛を垂直方向の支柱ｂに片持ち形式で、しかも、不使用時(収納時)と使用時との間で前記支柱ｂに対して起倒自在に腰掛座１を取り付けるとともに、少なくとも着座時においてこの腰掛座１を前記支柱ｂに片持ち支持させることができるようにするためには、図１あるいは図６に示す場合を挙げることができる。図１、図６に示す場合には、少なくとも着座時においてこの腰掛座１を前記支柱ｂに片持ち支持させ得る手段として、前記支柱ｂに抱き合わせるように筒体を装着し、前記支柱ｂで腰掛座１の荷重を直接支えるのではなく、この支柱ｂに装着されている前記筒体の一部で腰掛座１の荷重を支えるようにしたものである。
【００５４】
図１は、筒体が左右二つ割りになっており、しかも、左右二つ割りの筒体が内筒２，２とこの内筒２，２を抱くように装着させ得る外筒３，３とからなる場合の一例を示す。図２にそれらを抱き合わせた状態を詳しく示す。外筒３，３は正面外突弧状に膨らんでおり、外突弧状のこの外周面上を腰掛座１から延び出させた平面横Ｕ字状の腕４が摺動できるようになっている。そして、図２(b)に示すように、左右二つ割りの内筒２，２側の二つ割り位置2aと左右二つ割りの外筒３，３側の二つ割り位置3aとを左右方向にずらせてある。
なお、左右二つ割りの外筒３，３の外周面には、正面側と背面側において腕４の回転中心としての突軸3b，3bが形成されており、図３に示すように、腕４はこれら一対の突軸3b，3bを中心として外突弧状の外筒３，３の外周面上を摺動することができる。
【００５５】
この場合には、外突弧状の外筒３，３の外周面上を摺動させ得る腕４を介して前記外周面で腰掛座１に掛かる荷重を支えることができる。すなわち、外突弧状の外筒３，３の外周面上を摺動させ得る腕４を介して、着座時において片持ち形式の腰掛座１に掛かる力を前記外筒３，３の外周面で支えることができる。したがって、腰掛座１に座っても腰掛座１が滑り落ちることがなく、その使用に何ら支障はない。
図１(a)，(b)及び図３の実線で示す場合が腰掛座１を倒した使用時の状態である。そして、腰掛座１に掛かる荷重を左右二つ割りの内筒２，２とこの内筒２，２を抱くように装着されている外筒３，３とに分散させて支えることができ、一点に荷重が掛かるのを防止できるのみならず、左右二つ割りである内筒２，２と外筒３，３とがいずれも外れにくいものとなる。
不使用時には、図１(c)及び図３の二点鎖線で示すように、腰掛座１を起して折り畳んで収納しておくことができるから、極めて便利である。なお、図３の一点鎖線が支柱ｂに対して腰掛座１を上下いずれかの方向に高さ調整する時の状態を示す。
【００５６】
左右二つ割りの内筒２，２とこの内筒２，２に抱き合わせるように装着させ得る左右二つ割りの外筒３，３のうち、少なくとも支柱ｂと当接する内筒２，２は粘着性を有する材料、例えば、ウレタンゴムで形成されている。これに対して、左右二つ割りの外筒３，３は例えば合成樹脂製とすることができる。
このように、支柱ｂと当接する内筒２，２が粘着性を有する材料で形成されている場合には、支柱ｂに左右二つ割りの内筒２，２が密着しやすくなり、それだけ滑りにくくすることができる。
【００５７】
図１に示す手すり腰掛Ａの場合には、図４に示すように、あらかじめ設置されている垂直方向の支柱ｂに後付け可能である。例えば、図４(a)に示すように、まず、左右二つ割りの内筒２，２と左右二つ割りの外筒３，３を支柱ｂの左右両側から支柱ｂに装着し（装着後の状態を、図４(b)に示す）、次いで、図４(c)に示すように、組み立てた筒体に支柱ｂの片側（右側）から平面横Ｕ字状の腕４を嵌め込む。そして、支柱ｂの反対側（左側）から取付座５を嵌め込むとともに、取付座５の溝5aに腰掛座１の座板を差し込み、腕４の腕先端と取付座５と腰掛座１の座板とをボルトで締結する。
このようにすると、図４(d)に示すように、あらかじめ設置されている垂直方向の支柱ｂに手すり腰掛Ａを後付けできる。この後付けが可能となったのは、支柱ｂに抱き合わせるように装着させ得る筒体を二つ割りとし、これに沿うように腰掛座１を保持させるための腕４の形に工夫を凝らしたことによるものである。
【００５８】
一方、図６は、方形状の筒体が左右二つ割りになっており、腰掛座１の座板を固定し得る取付座11の一対の腕11a、11aを左右二つ割りの筒体10，10に沿わせて配置した場合の一例を示す。
左右二つ割りの筒体10，10の正面側と背面側である対向両外面には、図７，図８に示すように、正面側と背面側で１組となる円弧状のガイド溝10a，10aが左右に対称的に形成されており、その所定位置には内側に突出するカム面10b，10bが形成されている。
そして、前記一対の腕11a、11aの対向両内面には、左右のガイド溝10a，10aに嵌合させることができるとともに、その中を摺動させ得る突起11b，11bが正面側と背面側で１組となるようにそれぞれ形成されている。また、前記各カム面10b，10bには、図９(b)に拡大して示すように、各突起11b，11bが嵌まる窪み10b'，10b'がそれぞれ形成されている。
【００５９】
一方、左右二つ割りの筒体10，10の正面側と背面側である対向両面には、左右２本の前記ガイド溝10a，10aより内側において一対の前記腕11a，11aの回転中心としての突部軸10c，10cが左右対称的にそれぞれ形成されている。また、一対の前記腕11a，11aの対向両内面には、前記各突部軸10c，10cが嵌まり得るガイド用の窪み11c、11cが形成されている。そして、この窪み11c、11c内に前記腕11a，11aの回転中心としての突部軸10c，10cが嵌め込まれている。
【００６０】
この場合には、円弧状のガイド溝10a，10aに嵌合されていてその中を摺動させ得る突起11b，11bを有する腰掛座１の腕11a，11aを介して円弧状のガイド溝10a，10aで腰掛座１に掛かる荷重を支えることができる。すなわち、腰掛座１に掛かる荷重を上述したように支柱ｂで直接支えるのではなく、腰掛座１の腕11aに形成されている突起11b，11bが嵌まっている円弧状のガイド溝10a，10aで支えることができる。したがって、腰掛座１に座っても腰掛座１がずれることがなく、その使用に何ら支障はない。図６(a)，(b)、図７(a)，(b)、及び図８(a)に示す場合が腰掛座を倒した使用時の状態である。
不使用時には、図６(c)及び図８(c)に示すように、腰掛座１を起して折り畳んで収納しておくことができるから、極めて便利である。なお、図８(b)が支柱ｂに対して腰掛座１を上下いずれかの方向に高さ調整する時の状態を示す。
【００６１】
図８，図９に、正面側と背面側で１組となる左右２本の円弧状のガイド溝10a，10aと各ガイド溝10a，10aに嵌合されていてその中を摺動させ得る各突起11b，11b、２つの突起11b，11bを有する一対の腕11a，11a、ならびに、一対の腕11a，11aを有する取付座11に保持されている腰掛座１との関係、及び、一対の腕11a，11aの回転中心としての左右一対の突部軸10c，10cと両突部軸10c，10cが嵌まり得るガイド用の窪み11cとの関係を詳細に示す。
図８(a)に、腰掛座１を倒した状態、すなわち、腰掛座１が水平状態の場合を示す。この場合には、一対の腕11a，11aの対向両内面に形成されていて正面側と背面側で１組となる突起11b，11bは、図８(a)及び図９(a)に示すように、二つ割りの筒体10，10に形成されている左右２本の円弧状のガイド溝10a，10aの上端と下端である終端部にいずれも位置し、腰掛座１に掛かる荷重を図９(a)の矢印で示すように左右２本のガイド溝10a，10aの終端部で支えることができる。
【００６２】
図８(a)の状態から腰掛座１を折り畳んで行くと、二つ割りの筒体10，10に形成されている円弧状のガイド溝10a，10a内を突起11b，11bが摺動し、図８(b)，図９(b)の位置にくる。このとき、円弧状のガイド溝10a，10a内を摺動する突起11b，11bが、図９(b)の矢印で示すように、円弧状のガイド溝10a，10aに形成されているカム面10b，10bを押すから、二つ割りの筒体10，10は垂直方向の支柱ｂに対して外方向にわずかに押し広げられ、支柱ｂとの間に隙間が生じる。したがって、この姿勢のままで二つ割りの筒体10，10を支柱ｂに沿って上下いずれかの方向に移動させることができる。すなわち、腰掛座１の上下方向の位置（高さ）調整を行うことができる。
【００６３】
この位置調整は、上述したように、腰掛座１を手すりとして利用する場合にも、あるいは、腰掛座１に取り付けられている手すり棒1bそのものを手すりとして利用する場合にも適用される。すなわち、腰掛座１から立ち上がって腰掛座１の高さを使用者に合わせて握りやすい位置に調整（上下調整）し、この腰掛座１の長孔1aと腰掛座１の周縁部間を握れば、この腰掛座１を手すりとして利用することができ、あるいは、この腰掛座１に取り付けられている手すり棒1bそのものを握れば、それを手すりとして利用することができる。
なお、円弧状のガイド溝10a，10a内を摺動する突起11b，11bと内側に突出するカム面10bとが係合したとき、各突起11b，11bがカム面10b，10bに形成されている窪み10b'，10b'の位置で一旦腕11a，11aが止まるから、折り畳み（収納）途中及び倒す途中のその位置で腰掛座１がβ傾いた状態（図９(b)参照）を保持できる。
【００６４】
図８(b)の状態から図８(c)に示すように腰掛座１をさらに起こす（折り畳む）と、腕11a，11aの動きに応じて二つ割りの筒体10，10に形成されている円弧状のガイド溝10a，10a内を突起11b，11bが摺動し、図８(c)，図９(c)に示すように、一方の突起11bは一方の円弧状のガイド溝10aの下端である始端部に、また、他方の突起11bは他方の円弧状のガイド溝10aの途中に位置し、腰掛座１を垂直状態に保持することができる。このとき、図９(c)の矢印で示すように、一方の突起11bは一方の円弧状のガイド溝10aの壁面に係合するとともに、ガイド用の窪み11cの周壁と腕11aの回転中心としての突部軸10cの一部とを係合させることができる。したがって、折り畳んだ状態の腰掛座１が倒れてくるのを防止できるとともに、折り畳んだ状態を保持できる。
なお、腰掛座１を起こした不使用時（収納時）の状態から腰掛座１を倒した使用時の場合においては、上述した場合と逆の動きを取り、最終的には図６(b)，図７(b)，図８(a)に示すように腰掛座１を水平に倒した状態となる。
【００６５】
図８(a)，図９(a)及び図８(c)，図９(c)に示す場合には、一対の腕11a，11aに形成されている突起11b，11bが左右２本の円弧状のガイド溝10a，10aの面を各図の矢印で示す方向に押すから、二つ割りの筒体10，10には、その対向両外面に形成されている一対の突部軸10c，10cの間隔が狭まる方向に力が掛かっている。したがって、腰掛座１が自重で支柱ｂに沿って滑り落ちることがない。
なお、図７(b)及び図８(a)〜(c)に示すように、二つ割りの筒体10，10の対向両外面に形成されている左右で１組の突部軸10c，10cには、支柱ｂに抱き合わせるように装着されている左右の筒体10，10を締め付ける方向の力を付与するためのバネ12が配置されている。このバネ12の引張力によって、二つ割りの筒体10，10には締め付ける方向の力が付与されるから、腰掛座１の自重で二つ割りの筒体10，10が支柱ｂに沿って滑り落ちることはない。
【００６６】
左右二つ割りの筒体10，10のうち少なくとも支柱ｂの装着と周面と当接する部分には、粘着性を有する材料、例えば、ウレタンゴムが内装されている。このように、支柱ｂと当接する部分が粘着性を有する材料で形成されている場合には、支柱ｂに左右二つ割りの筒体10，10が密着しやすくなり、それだけ滑りにくくすることができる。
【００６７】
図６に示す手すり腰掛Ｂの場合にも、図１１に示すように、あらかじめ設置されている垂直方向の支柱ｂに後付け可能である。例えば、図１１(a)に示すように、まず、左右二つ割りの筒体10，10を支柱ｂの左右両側から支柱ｂに装着するとともに、左右で１組の突部軸10c，10cにバネ12，12を配置して両筒体10，10を組み立て（組立後の状態を、図１１(b)に示す）、次いで、図１１(c)に示すように、組み立てた筒体に支柱ｂの片側（図の右側）から腰掛座１の座板を固定し得る取付座11から延び出ている一対の腕11a、11aを嵌め込む。そして、支柱ｂの反対側（左側）から取付座11の溝11dに腰掛座１の座板を差し込み、取付座11と腰掛座１の座板とをボルトで締結する。
このようにすると、図１１(d)に示すように、あらかじめ設置されている垂直方向の支柱ｂに手すり腰掛Ｂを後付けできる。この後付けが可能となったのは、支柱ｂに抱き合わせるように装着させ得る筒体を二つ割りとし、これに沿うように腰掛座１を保持させるための腕11aの形に工夫を凝らしたことによるものである。
【００６８】
図１０に、図８，図９に示す場合とは異なる機構を示す。図８，図９では、正面側と背面側で１組となる左右２本の円弧状のガイド溝10a，10aに、内側に突出するカム面10b，10bを形成しておき、腰掛座１をβだけ傾けて円弧状のガイド溝10a，10a内を摺動する突起11b，11bが前記カム面10b，10bを押すことによって腰掛座１の上下調整を可能ならしめたが、図１０では、腰掛座１を垂直に持ち上げることにより腰掛座１の上下調整を可能ならしめる場合を例示する。
正面側と背面側で１組となる左右２本の円弧状のガイド溝10a，10aには、図８，図９に示す場合のようなカム面がなく、一対の腕11a，11aの回転中心としての左右一対の軸10b，10bが嵌まり得るガイド用の窪み11cの内壁面の一部を内方に突出させた点が、図８，図９に示す場合と異なっている。
【００６９】
腰掛座１が倒された状態、すなわち、腰掛座１が水平状態（使用時）の場合には、一対の腕11a，11aの対向両内面に形成されていて正面側と背面側で１組となる突起11b，11bは、図１０(a)に示すように、二つ割りの筒体10，10に形成されている左右２本の円弧状のガイド溝10a，10aの上端と下端である終端部にいずれも位置し、腰掛座１に掛かる荷重を図８(a)の矢印で示すように左右２本のガイド溝10a，10aの終端部で支えることができる。この点は、図８，図９に示す場合と同じである。
【００７０】
腰掛座１が水平の状態から折り畳んで垂直の状態にすると、一対の腕11a，11aが動いてその対向両内面に形成されていて左右２本の円弧状のガイド溝10a，10a内を摺動する突起11b，11bは、図１０(b)の点線で示す位置に来る。
この時、腰掛座１を垂直に持ち上げると、図１０(b)に拡大して示すように、ガイド用の窪み11cの内壁面の一部に形成されている突出部11eが左右一対の突部軸10c，10c間に係入せしめられて押し広げられ、左右一対の突部軸10c，10c間の間隔w'が今までの間隔wより大きくなる。したがって、支柱ｂとの間に隙間が生じ、この姿勢のままで二つ割りの筒体10，10を支柱ｂに沿って上下いずれかの方向に移動させることができる。すなわち、腰掛座１の上下方向の位置（高さ）調整を行うことができる。
【００７１】
このように、図１０に示す機構を備えた手すり腰掛でも、図８，図９に示す場合と同じように、腰掛座１の上下方向の位置（高さ）調整を行うことができる。図１０に示す機構を備えた場合では、高さ調整するときだけ、腰掛座１を垂直に持ち上げればよい。
この位置調整は、上述したように、腰掛座１を手すりとして利用する場合にも、あるいは、腰掛座１に取り付けられている手すり棒1bそのものを手すりとして利用する場合にも適用される。すなわち、腰掛座１から立ち上がって腰掛座１の高さを使用者に合わせて握りやすい位置に調整（上下調整）し、この腰掛座１の長孔1aと腰掛座１の周縁部間を握れば、この腰掛座１を手すりとして利用することができ、あるいは、この腰掛座１に取り付けられている手すり棒1bそのものを握れば、それを手すりとして利用することができる。
【００７２】
以上述べたように、垂直方向の支柱ｂに片持ち形式で、しかも、上下調整可能で、かつ、平面的に回転可能に、さらに、不使用時（収納時）と使用時との間で前記支柱ｂに対して起倒自在に手すり腰掛Ａ，Ｂを取り付けることができる。そして、使用時に腰掛座１を倒せば、少なくとも腰掛座１を支柱ｂに片持ち支持させることができ、その上に着座することができる。腰掛座１に掛かる荷重は、支柱ｂに装着されている筒体の一部で支えることができる。また、支柱ｂに装着されている筒体の外周面上を腰掛座１の腕が摺動するように設計できるから、腰掛座１を起こして折り畳む際に手指を詰める危険もない。
【００７３】
一方、垂直方向の支柱ｂに対して手すり腰掛Ａ，Ｂの高さを自由に調整することができる。すなわち、手すり腰掛Ａ，Ｂを所定の高さに調整するには、腰掛座１を所定角度傾けるか、あるいは、垂直に持ち上げ、支柱ｂに沿ってスライドさせればよい。この調整により、支柱ｂに対する手すり腰掛Ａ，Ｂの高さを自由に変更できる。そして、その位置で少なくとも腰掛座１を支柱ｂに片持ち支持させることができる。
また、手すり腰掛Ａ，Ｂを手すりとして利用する場合にも、手すり腰掛Ａ，Ｂを所定の高さに調整すればよい。すなわち、腰掛座１から立ち上がって腰掛座１の高さを使用者に合わせて握りやすい位置に調整（上下調整）し、この腰掛座１の長孔1aと腰掛座１の周縁部間を握れば、この腰掛座１を手すりとして利用することができ、あるいは、この腰掛座１に取り付けられている手すり棒1bそのものを握れば、それを手すりとして利用することができる。
【００７４】
垂直方向の支柱ｂとこの支柱ｂに抱き合わせるように装着させ得る二つ割りの筒体10，10の内周面を横断面真円形とし、前記筒体10，10と前記筒体10，10の一部で支えられる腰掛座１とを、前記支柱ｂに対して回動自在としておくとよい。
この場合には、支柱ｂに対する腰掛座１の取付位置を平面的に変えることができる。したがって、腰掛座１を回動させ得る範囲内で支柱ｂに対する腰掛座１の取付位置を自由に変えることができる。また、腰掛座１の長孔1aと腰掛座１の周縁部間を握ったまま歩行動作に合わせて腰掛座（手すり）を動かすことができ、固定式の場合に比べて、手すりとしての使用範囲がそれだけ広くなる。
【００７５】
腰掛座１は、木製のほか金属製、あるいは、プラスチックス製などとすることができる。デザイン性を高めるために、カラフルなものとすることもできる。この手すり腰掛を腰掛として、さらには、手すりとして利用し得るようにするために、腰掛座１の形状を工夫するとよい。
【００７６】
また、図示はしないが、腰掛座１を垂直方向の支柱ｂに対してその右側に、あるいは、その左側に位置させ得るように前記腕４，11aの延び出させ方を工夫するとよい。このようにした場合には、垂直方向の支柱ｂに対してその右側（いわゆる右勝手）に、あるいは、垂直方向の支柱ｂに対してその左側（いわゆる左勝手）に腰掛座１を位置させることができる。したがって、設置場所が制限されていて、例えば、垂直方向の支柱ｂに対してその右側にしか腰掛座１を設置できない場合やその逆の場合にも、十分対応できる。
【００７７】
なお、本発明の手すり腰掛は、支柱に対する高さ調整、不使用時における折り畳み状態と使用時における着座状態との間での姿勢変更、平面的な回動（水平方向の回転）の機能を有するので、様々な用途に利用できる。例えば、テーブルの脚に子供用の腰掛座や物置台としての座板を取り付けたり、壁に沿わせて垂直方向に支柱を設置し、小物置台としての座板を取り付けて、インテリアとすることができる。また、現状のキッチン、洗面、風呂などでの網棚（横棒式）を縦棒式とし、それに網棚の荷重支持用として本発明の機構を組み込んでもよい。台所シンクの吸水カランに使用したり、浴室内に縦棒を設置してシャワーの受台として利用したり、あるいは、駅、公衆トイレ、書斎その他の所で物置台やテーブルとして利用する場合などを挙げることができる。
【図面の簡単な説明】
【００７８】
【図１】少なくとも着座時において腰掛座を支柱に片持ち支持させ得る手段として、左右二つ割りの内筒とこの内筒を抱くように装着させ得る外筒とで筒体を形成し、垂直方向の支柱を抱くようにこの筒体を装着し、この筒体の一部で腰掛座に掛かる荷重を支えるようにした場合の手すり腰掛の一例を示す概略図で、(a)は着座可能な状態を示す平面図、(b)はその場合の正面図、(c)は不使用時（収納時）の状態を示す正面図である。
【図２】図１に示す左右二つ割りの内筒とこの内筒を抱くように装着させ得る外筒との組み合わせ状態を示す概略図で、(a)はその平面図、(b)は正面図、(c)は縦断面図、(d)は(a)のＩ−Ｉ線断面図である。
【図３】図１に示す手すり腰掛の動作の一部を示す概略図である。
【図４】図１に示す手すり腰掛を、あらかじめ設置されている支柱に後付けする場合の組立手順を示す平面図である。
【図５】家屋の柱のあるところにおいて、その柱の壁面に直接支柱を垂直方向に取り付け、この支柱に図１に示す手すり腰掛を取り付けた状態を示す概略図で、(a)は正面図、(b)はその側面図である。
【図６】少なくとも着座時において腰掛座を支柱に片持ち支持させ得る手段として、左右二つ割りの筒体を垂直方向の支柱を抱くように装着し、この筒体に形成したガイド溝で腰掛座に掛かる荷重を支えるようにした場合の手すり腰掛の一例を示す概略図で、(a)は腰掛座を倒した使用時の状態を示す平面図、(b)はその場合の正面図、(c)は腰掛座を起した収納時（不使用時）の状態を示す正面図である。
【図７】図６に示す手すり腰掛の一部を示す簡略図で、(a)はその拡大平面図、(b)はその正面図である。
【図８】図６，図７に示す手すり腰掛の動作の一部を示す概略図で、(a)は腰掛座を倒した使用時の場合を、(b)は腰掛座を所定角度傾斜させた場合を、(c)は腰掛座を起した収納時（不使用時）の場合を示す。
【図９】図８(a)，(b)，(c)の場合におけるガイド溝とその中に嵌合せしめられている突起との位置関係、及び、左右一対の突部軸と各突部軸が嵌まり得るガイド用の窪みとの位置関係を示す動作図である。
【図１０】図９に示す場合とは異なる機構を示す動作図で、(a)は腰掛座を倒した使用時の場合を、(b)は腰掛座を垂直に持ち上げた場合を、(c)は腰掛座を起した収納時（不使用時）の場合を示す。
【図１１】図６に示す手すり腰掛を、あらかじめ設置されている支柱に後付けする場合の組立手順を示す平面図である。
【図１２】家屋の柱のあるところにおいて、その柱の壁面に直接支柱を垂直方向に取り付け、この支柱に図６に示す手すり腰掛を取り付けた状態を示す概略図で、(a)は正面図、(b)はその側面図である。
【図１３】腰掛座を可動手すりとしての機能を有するものとするために、図１とは異なる手法を採用した手すり腰掛の一例を示す概略図で、(a)は着座可能な状態を示す平面図、(b)はその場合の正面図、(c)は不使用時（収納時）の状態を示す正面図である。
【図１４】腰掛座を可動手すりとしての機能を有するものとするために、図６とは異なる手法を採用した手すり腰掛の一例を示す概略図で、(a)は着座可能な状態を示す平面図、(b)はその場合の正面図、(c)は不使用時（収納時）の状態を示す正面図である。
【符号の説明】
【００７９】
１…腰掛座、1a…孔、1a'…内周面、1b…手すり棒、２…内筒、３…外筒、2a，3a…二つ割りの位置、3b…突軸、４…腕、５…取付座、10…筒体、10a…ガイド溝、10b…カム面、10b'…窪み、10c…突部軸、11…取付座、11a…腕、11b…突起、11c…ガイド用の窪み、11e…突出部12…バネ、Ａ，Ｂ…手すり腰掛、ｂ…支柱、Ｃ…壁面、Ｄ…床面、Ｆ…柱。
【図１】
2005205010.tif 000003
【図２】
2005205010.tif 000004
【図３】
2005205010.tif 000005
【図４】
2005205010.tif 000006
【図５】
2005205010.tif 000007
【図６】
2005205010.tif 000008
【図７】
2005205010.tif 000009
【図８】
2005205010.tif 000010
【図９】
2005205010.tif 000011
【図１０】
2005205010.tif 000012
【図１１】
2005205010.tif 000013
【図１２】
2005205010.tif 000014
【図１３】
2005205010.tif 000015
【図１４】
2005205010.tif 000016